(57)【要約】【課題】  作業効率の向上が図れるインサイドハンドル部照明装置を提供する。【解決手段】  インサイドハンドルベセルの裏面側にＬＥＤ光源を内設するランプユニットを取付け、光源の位置を固定する。その後、ドアトリムへの組付けを行う。【選択図】  図４
2005247317.tif 000002
【特許請求の範囲】
【請求項１】
裏面に第１の差込口及び第２の差込口を備えるインサイドハンドルベセルと、
前記インサイドハンドルベセル裏面側よりインサイドハンドル部を照明するＬＥＤを内設したＬＥＤユニットであって、その一端部に形成された第１の突起部と、及び前記一端部と反対側の端部に形成された第２の突起部とを備えるＬＥＤユニットと、からなり、
前記第１の差込口に前記第１の突起部が差し込まれて係合し、かつ
前記第２の差込口に前記第２の突起部が差し込まれて係合することにより、前記ＬＥＤユニットが前記インサイドハンドルベセルに固定される、ことを特徴とするインサイドハンドル照明装置。
【請求項２】
前記第１の差込口は凹部からなり、前記第２の差込口は貫通口からなり、
前記第２の突起部の先端部には係止用の爪が設けられており、
前記第２の差込口に前記第２の突起部が差し込まれる際、前記爪により該第２の突起部が該第２の差込口の周壁に係止されて前記ＬＥＤユニットが前記インサイドハンドルベセルに固定される、ことを特徴とする請求項１に記載の照明装置。
【請求項３】
前記第１の突起部の伸長方向と、前記第２の突起部の伸長方向が略垂直である、請求項１又は２に記載の照明装置。
【請求項４】
前記ＬＥＤユニットを前記インサイドハンドルベゼルに取り付ける際、前記ＬＥＤユニットの一部が前記インサイドハンドルベゼルに接触し、該接触部が支点となって前記ＬＥＤユニットが回転し、前記第１の差込口に前記第１の突起部が差し込まれ、前記第２の差込口に前記第２の突起部が差し込まれる、請求項１〜３のいずれかに記載の照明装置。
【発明の詳細な説明】
【技術分野】
【０００１】
本発明は、車室内照明装置に関する。詳しくは、インサイドハンドル部を照明する照明装置における光源の取付方法の改良に関する。
【背景技術】
【０００２】
車室内照明装置として、インサイドハンドル部の視認性向上を目的とした照明装置が知られている。例えば、特開平１１―１０５５４７号公報に開示される照明装置では、インサイドハンドルベセル後方に設けられた支持板に光源を設置し、かかる光源からの光をインサイドハンドルベセルとインサイドハンドルの隙間（導入口）からインサイドハンドルベセル前面へと取り出しインサイドハンドル部を照明している。このような照明装置の組付け作業においては、まず光源を支持板に取付け、その後、インサイドハンドルベセル及びインサイドハンドルが組み付けられる。
【発明の開示】
【発明が解決しようとする課題】
【０００３】
上記従来の発光装置では、インサイドハンドルベセル及びインサイドハンドルを組み付ける際に、光源の位置と光源からの光を取り出す導入口の位置とが調整される。換言すれば、光源の位置とインサイドハンドル等の位置とを微妙に調整しながらインサイドハンドル等を組み付ける必要があった。また、光源の取付け位置及びインサイドハンドルベセル等の組付け位置を予め考慮して個々の部品の設計を行う必要があった。
一方、昨今の自動車の組立工程においては、作業効率向上のためにモジュール化された部品が用いられる。即ち、予めいくつかの部品を組み合わせたものを用意し、それを所定の位置に組み付ける。インサイドハンドル部においても、予めドアトリムベセルとインサイドハンドル等を組み合わせたインサイドハンドルモジュールを用意し、これがドアトリムの所定の位置に組み付けられる。このようなモジュール化された部品は個々の部品に比べて大型化するため、組付け作業の際にその組付け位置を微妙に調整することは一層困難となる。
本発明は以上の課題を解決すべくなされたものであり、組付け作業における微妙な位置調整を不要とすることにより、作業効率の向上が図れるインサイドハンドル部照明装置を提供することを目的とする。
【課題を解決するための手段】
【０００４】
本発明は、上記目的を達成するためになされたものであり、その構成は次の通りである。即ち、
インサイドハンドルベセルと、
前記インサイドハンドルベセル裏面側よりインサイドハンドル部を照明する光源を備えるランプユニットと、
前記ランプユニットを前記インサイドハンドルベセルに固定する手段と、を備えてなるインサイドハンドル照明装置、である。
【発明の効果】
【０００５】
このような構成の照明装置では、光源を備えるランプユニットがインサイドハンドルベセル自体に固定されるため、光源の取付け位置に合わせてインサイドハンドルベセル等を組み付ける必要がなくなる。即ち、煩雑な位置調整を伴うことなくインサイドハンドルベセル等を組み付けることができる。その結果、作業効率の向上が図れる。また、モジュール化された部品を用いる場合においては、より一層の効率化が図られることとなる。
【発明を実施するための最良の形態】
【０００６】
インサイドハンドルベセルは車室側に開口部を備えた箱状の部材であって、当該開口部がインサイドハンドルの収納部を形成する。
ランプユニットはインサイドハンドルベセルの裏面側、即ち、インサイドハンドルの収納部と反対側に取り付けられる。これにより、ランプユニットに内設される光源からの光はインサイドハンドルベセル裏面側よりインサイドハンドル部を照明する。ランプユニットの取付け位置はインサイドハンドルベセル裏面側であれば特に限定されない。即ち、ランプユニットの取付け位置によって、インサイドハンドルの収納部を上方、下方、又は横方向から照明することができる。
光源としてはバルブ、ＬＥＤを用いることができる。小型化かつ省力化の要請を考慮すればＬＥＤを光源として用いることが好ましい。ＬＥＤとしては、汎用的なものを用いることができ、その発光色も任意に選択することができる。
ランプユニットは固定手段により、インサイドハンドルベセルに固定される。固定手段としては、ランプユニットの一部とインサイドハンドルベセルの一部とを係合するものが挙げられる。例えば、ランプユニットに設けられた凸部とインサイドハンドルベセルに設けられた凹部とを係合する。即ち、ランプユニットには一又は複数の凸部が設けられ、当該凸部をインサイドハンドルベセルに設けられた凹部に差し込むことにより、ランプユニットはインサイドハンドルベセルに固定される。もちろん、インサイドハンドルベセルの方に凸部を設け、これをランプユニットに設けられた凹部に差し込み、ランプユニットをインサイドハンドルベセルに固定することもできる。さらには、ランプユニットに凸部及び凹部を設けることもできる。この場合においては、インサイドハンドルベセルには、ランプユニットの凸部及び凹部に対応して凹部及び凸部が設けられることとなる。ランプユニット又はインサイドハンドルベセルに設けられる凸部又は凹部の数は特に限定されない。
ここで、凸部には様々な形状のものが含まれ、突起部も含まれる。凸部の一部に更に突起部を設けることもできる。また、凹部には、インサイドハンドルベセル又はランプユニットの一部に貫通口を設ける構成が含まれる。
【実施例１】
【０００７】
以下、実施例により本発明の構成を詳細に説明する。
図１は本発明の実施例である照明装置を備えた車室側インサイドハンドル部１の正面図、図２はインサイドハンドルベセル１０の平面図、図３はランプユニット３０を取り付けた状態のインサイドハンドルベセル１０の平面図、図４はインサイドハンドル部１のＡ−Ａ線断面図である。
以下、各図を参照しながら、インサイドハンドル部１の各部材の構成を説明する。
インサイドハンドル部１は、インサイドハンドルベセル１０、インサイドハンドル２０及びランプユニット３０から概略構成される。
インサイドハンドルベセル１０は箱状の外枠１１及び中板１２から構成され、インサイドハンドル２０の収納部を形成する。外枠１１の上部は後方に向かって屈曲され、差込口１４が設けられる。また、外枠１４の上面には図２に示されるように、貫通口からなる差込口１５が二箇所形成される。さらには、外枠１４の上面の一部には後述の光源３５からの光の導入口１３が設けられる（図４を参照）。本実施例では、ランプユニット３０を取り付けた状態において、光源３５が対向する位置に貫通口を設け、ここへ光透過性の樹脂からなる導光板をはめ込み導入口１３とした。導光板の光放出面をレンズ状にすることもできる。これにより、光源からの光を集光又は拡散してインサイドハンドル２０を照明することができる。また、拡散プリズムを用いて導入口からの均一な光照射を行うこともできる。
【０００８】
ランプユニット３０は筐体３１とＬＥＤ光源３５より構成される。ＬＥＤ光源３５は筐体３１に内設される。本実施例では光源としてＬＥＤを用いたが、バルブを用いることもできる。尚、ＬＥＤ３５は図示しない電源及び制御回路に接続され、その点灯状態が制御される。
筐体３１の一の側面には突起状の足３２が設けられ、他の一の側面には突起状の足３３が設けられる。足３２の伸長方向と、足３３の伸長方向は略垂直である。足３２及び足３３はＬＥＤユニット３０をインサイドハンドルベセル１０の所定の位置に固定するために用いられるものである。足３３の先端部には突起部３４が形成されている。この突起部３４は係止用の爪であり、足３２側と反対の側に形成されている。尚、足３２及び３３の数は実施例のものに限定されず、それぞれ一以上の足が設けられる。また、足３２及び３３の形状も実施例のものに限定されない。
【０００９】
図３及び図４に示されるように、光源３５がインサイドハンドルベセルの導入口１３に対向して配置されるように、ランプユニット３０はインサイドハンドルベセル１０の外枠１１の上面に取り付けられる。光源３５からの光はインサイドハンドルベセルの導入口１３を通って、インサイドハンドルベセル前面方向へと導入され、インサイドハンドル２０を照明する。
以下、ランプユニット３０の取付け方法について図４及び図６を参照しながら説明する。尚、図６は、ランプユニット３０の取付け途中の状態を示した図である。
まず、ランプユニット３０の足３２の先端部が、インサイドハンドルベセル１０の外枠１１の差込口１４に差し込まれる。このとき、ランプユニットの足３３はインサイドハンドルベセルの外枠１１の差込口１５の入り口付近に位置する（図６の状態）。
続いて、ランプユニット３０の足３２は差込口１４の壁面に沿って差し込み口１４の奥へと導かれる。それと同時に、ランプユニット３０の足３３の先端部３４は差込口１５内へと導かれる。ランプユニット３０の足３３は弾性材料でできており、足３３は少し湾曲しながら、その先端部３４が差込口１５の壁面１７に沿って図中下方に差し込まれる。また、ランプユニット３０を装着する際、ランプユニット３０において足３２側の上部がインサイドハンドルベゼルの外枠１１に接触する。そして、接触部が支点となってランプユニット３０が回転することによって、足３２が差込口１４に差し込まれるとともに足３３が差込口１５に差し込まれる。この際、てこの原理によって足３２は差込口１４の奥へとスムーズに導かれる。以上の動作が行われることから、ランプユニット３０を容易に装着可能である。
ランプユニット３０の足３２が差込口１４に完全に差し込まれると、ランプユニット３０の足３３の先端部３４も貫通口１５に完全に差し込まれた状態となる。この状態において、足３３の先端部３４の上部３７は差込口１５の入り口付近の壁面１８と係合する。このように、ランプユニット３０の足３３が差込口１５の周壁に係止されてランプユニット３０はインサイドハンドルベセル１０の所望の位置に固定される。
【００１０】
本実施例では、ランプユニット３０をインサイドハンドルベセル１０の上面の端部に取り付けたが、ランプユニット３０の取付位置はこれに限定されるわけではなく、インサイドハンドルベセル１０の上面の任意の位置に取り付けられることはもちろんのこと、インサイドハンドルベセルの側面又は背面の任意の位置に取り付けることもできる。
【００１１】
本実施例のインサイドハンドル部１のドアトリムへの組付け作業は以下のように行われる。即ち、まず、インサイドハンドルベセル１０、インサイドハンドル２０等を組み合わせたモジュール部品を用意する。ランプユニット３０は、ドアトリム部における配線に接続される。続いて、当該モジュール部品をドアトリムに組み付ける前に上述のようにランプユニット３０がインサイドハンドルベセル１０の所定の位置に取り付けられる。その後、モジュール部品及びランプユニットは一体的にドアトリムへ組み付けられる。このように、インサイドハンドルベセル１０のドアトリムへの組付けの前に、予めランプユニット３０がインサイドハンドルベセル１０に取り付けられて、光源の位置が固定される。即ち、光源の位置を調整しながら組付け作業を行う必要がなくなり、作業性の向上が図られる。
もちろん、モジュール部品を用いないこともできる。その場合には、まず、インサイドハンドルベセル１０にランプユニット３０を取付け、これをドアトリムに組み付ける。その後、その他の部品が取り付けられる。
【００１２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００１３】
以下、次の事項を開示する。
（１０）  インサイドハンドル部を照明する光源を備えるランプユニットのインサイドハンドルベセルへの取付方法であって、
前記インサイドハンドルベセルの裏面及び前記ランプユニットにそれぞれ設けられた第１の係合部及び第２の係合部とを係合することにより、前記インサイドハンドルベセルに前記ランプユニットは固定されて取り付けられる、ことを特徴とする取付方法。
（１１）  前記光源はＬＥＤからなる、ことを特徴とする（１０）に記載の取付方法。
（２０）  インサイドハンドル部を照明する光源の照明位置の調整方法であって、
前記光源は第１の係合部を備える筐体内に内設され、
前記筐体の前記第１の係合部が前記インサイドハンドルベセル裏面に設けられた第２の係合部に係合されることにより前記光源の位置が固定され、該光源の照明位置が調整される、ことを特徴とする調整方法。
（２１）  前記光源はＬＥＤからなる、ことを特徴とする（２０）に記載の調整方法。
【００１４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００１５】
【図１】図１は、本発明の一の実施例であるインサイドハンドル部１の正面図である。
【図２】図２は、同じくインサイドハンドルベセル１０の平面図である。
【図３】図３は、同じくランプユニット３０が取り付けられた状態のインサイドハンドルベセル１０平面図である。
【図４】図４は、同じくインサイドハンドル部１のＡ−Ａ線断面図である。
【図５】図５は、ランプユニット３０を示した図である。
【図６】図６は、ランプユニット３０をインサイドハンドルベセル１０へ取り付ける途中を示した図である。
【符号の説明】
【００１６】
１  インサイドハンドル部
１０  インサイドハンドルベセル
１４  １５  差込口
２０  インサイドハンドル
３０  ランプユニット
３２  ３３  ランプユニットの足
３５  ＬＥＤ光源
【図１】
2005247317.tif 000003
【図２】
2005247317.tif 000004
【図３】
2005247317.tif 000005
【図４】
2005247317.tif 000006
【図５】
2005247317.tif 000007
【図６】
2005247317.tif 000008